(57)【特許請求の範囲】
【請求項１】
線状のバネ部材を略Ｕ字状に折り曲げ、そのバネ部材の両端部を内側に折り曲げて端部折り曲げ部を形成するとともに、該バネ部材の中心部に外方へ突出する折り曲げ突起部を形成し、それらの端部折り曲げ部の先端部と折り曲げ突起部の内側角部とを異形鉄筋に取付可能に対向して位置させ、かつ前記端部折り曲げ部と前記折り曲げ突起部との中間部は異形鉄筋の外周面に係合しないように外側へ膨出させた状態に折り曲げ形成してなり、前記端部折り曲げ部の間から異形鉄筋に装着することにより、対向して位置する前記端部折り曲げ部の先端部と前記折り曲げ突起部の内側角部とが前記異形鉄筋の谷部に接触して、その異形鉄筋の外周面に形成された竹節又はネジ節によって軸方向の移動が規制された状態に固定されるように構成したことを特徴とする脱落移動防止金具。
【発明の詳細な説明】
【０００１】
【発明の属する技術分野】
この発明は、異形鉄筋に取り付けられる脱落移動防止金具に関するものである。
【０００２】
【従来の技術】
例えばネジ節鉄筋の連結等に、ネジ節鉄筋用ナットやカプラー類が用いられることがある。また、ネジ節鉄筋用ナットやカプラー類が脱落したり移動することがないように固定するために、グラウト材や樹脂を螺合部分の間隙に充填するものが多い。
【０００３】
【発明が解決しようとする課題】
ところで、ネジ節鉄筋用ナット、カプラー類は、ネジ節鉄筋との螺合においてネジ精度がよくないため、がたつきが生じる。このため、ネジ節鉄筋等の異形鉄筋工事における配筋作業、コンクリー卜打設時にナット、カプラー類は、脱落や移動するおそれがある。
【０００４】
また、ネジ節鉄筋に取り付けて定着力を増す定着具はナット２個を締め付け固定していたが、ナット２個では費用がかかり、締め付けの手間もかかっていた。
【０００５】
また、ネジ節鉄筋の接続にはナット２個とカプラーにより締め付け固定しているが、接続位置を正確に出さないと、接続強度にばらつきが出てしまう。そのため、接続位置を示すマークを付けてからナットを螺合し、締め付けていた。しかしマークを示しても、ナットを回転した場合には、マーク位置を超えて進むこともあり、正確な位置に固定するのは大変であった。
【０００６】
本発明は、かかる点に鑑みてなされたもので、簡単な構成で、かつ取付が簡単で施工性がよく、しかも移動しにくい、取付強度が強い安定性のよい脱落移動防止金具を提供することを目的としている。
【０００７】
【課題を解決するための手段】
前記課題を解決し、かつ目的を達成するため、本発明に係る脱落移動防止金具では、線状のバネ部材を略Ｕ字状に折り曲げ、そのバネ部材の両端部を内側に折り曲げて端部折り曲げ部を形成するとともに、該バネ部材の中心部に外方へ突出する折り曲げ突起部を形成し、それらの端部折り曲げ部の先端部と折り曲げ突起部の内側角部とを異形鉄筋に取付可能に対向して位置させ、かつ前記端部折り曲げ部と前記折り曲げ突起部との中間部は異形鉄筋の外周面に係合しないように外側へ膨出させた状態に折り曲げ形成してなり、前記端部折り曲げ部の間から異形鉄筋に装着することにより、対向して位置する前記端部折り曲げ部の先端部と前記折り曲げ突起部の内側角部とが前記異形鉄筋の谷部に接触して、その異形鉄筋の外周面に形成された竹節又はネジ節によって軸方向の移動が規制された状態に固定されるように構成したことを特徴とする。
【０００８】
本発明によれば、脱落移動防止金具が、線状のバネ部材の内側に折り曲げた端部折り曲げ部の間から異形鉄筋にワンタッチで簡単且つ容易に装着できる。しかも装着状態では、異形鉄筋の外周面に係合しないように外側へ膨出させた前記端部折り曲げ部と折り曲げ突起部との中間部のバネ力により、対向して位置する端部折り曲げ部の先端部と折り曲げ突起部の内側角部とが異形鉄筋の谷部に接触して、その谷部の両側に位置する竹節又はネジ節によって軸方向の移動が規制された状態に的確に固定される。また、両端部を内側に折り曲げてあるので、異形鉄筋の谷部に端部折り曲げ部の先端部が接触して摩擦抵抗が増大することから、異形鉄筋の軸方向に移動しにくい構成が可能である。また、脱落移動防止金具が強固に固定されるので、この脱落移動防止金具を利用して他の異形鉄筋の被取付物を所定の位置に正確に取り付けることができ、さらに強固に取り付けられるので異形鉄筋同士の位置決めとしても使用できる。
【０００９】
さらに、前記折り曲げ突起部の突出長さを長く形成したり、その折り曲げ突起部の先端側を更に上方へ折り曲げて折り曲げ凹部を形成し、それらの折り曲げ突起部の先端側や折り曲げ凹部に他の部材を乗せて保持可能に構成することも可能である。
【００１０】
【発明の実施の形態】
以下、この発明の脱落移動防止金具の実施形態について説明するが、この発明はこの実施形態に限定されない。
【００１１】
図１は脱落移動防止金具を示す図である。この実施形態の脱落移動防止金具１は、線状のバネ部材２を図示のように略Ｕ字状に折り曲げ、さらにバネ部材２の両端部２ａを内側に折り曲げて端部折り曲げ部２ａ１を形成するとともに、バネ部材２の中心部に外方へ突出する折り曲げ突起部２ｂを形成し、内側に折り曲げた両端部２ａから竹節鉄筋３に装着し、この両端部２ａに形成した端部折り曲げ部２ａ１と折り曲げ突起部２ｂの内側角部を介して竹節鉄筋３に取付可能に構成している。また、図示のように、それらの端部折り曲げ部２ａ１と折り曲げ突起部２ｂとの中間部は、異形鉄筋の外周面に係合しないように外側へ膨出させた状態に折り曲げ形成している。
【００１２】
線状のバネ部材２は、素材が硬鋼線であり、形状として竹節鉄筋３に取り付けやすく、
十分な装着力があるように構成されている。この脱落移動防止金具１では、バネ部材２の両端部２ａを内側に折り曲げ、端部折り曲げ部２ａ１がハの字に広がっているので、脱落移動防止金具１が線状のバネ部材２の内側に折り曲げた両端部２ａの端部折り曲げ部２ａ１から竹節鉄筋３にワンタッチで簡単且つ容易に装着でき、竹節鉄筋３に取り付けやすい。また、上述のように、端部折り曲げ部２ａ１と折り曲げ突起部２ｂとの中間部は、異形鉄筋の外周面に係合しないように外側へ膨出させた状態に折り曲げ形成されているので、バネ部材２のバネ力が、それらの端部折り曲げ部２ａ１あるいは折り曲げ突起部２ｂと竹節鉄筋３との接触部に対して的確に作用し、より良好な固定状態が得られる。
【００１３】
本脱落移動防止金具１では、バネ部材２の両端部２ａを内側に折り曲げてあるので、図示のように、装着状態では、両端部２ａに形成された端部折り曲げ部２ａ１と折り曲げ突起部２ｂの内側角部を介して竹節鉄筋３に確実に取付可能であり、その竹節鉄筋３の外周面に形成された竹節３ａ相互間の谷部に両端部２ａに形成された端部折り曲げ部２ａ１の切断面が接触し、摩擦抵抗が増大することにより、竹節鉄筋３の軸方向には移動しにくいとともに、前記竹節３ａにより軸方向の移動が規制される。また、図示のように、本実施形態では、折り曲げ突起部２ｂは竹節鉄筋３の筋突起３ｂを跨いだ状態に装着され、その折り曲げ突起部２ｂの立上り部２ｂ１が、竹節鉄筋３の筋突起３ｂの両側に対して押圧されて接点となるとともに、両端部２ａに形成された端部折り曲げ部２ａ１の切断面が筋突起３ｃの両側に位置するので、脱落移動防止金具１が竹節鉄筋３に対して回動することが規制されることから高い装着力が得られる。
【００１４】
また、脱落移動防止金具１のバネ部材２全体の曲げを竹節鉄筋３の外径より大きく取ることが可能となり、取り付けやすさ等を考慮してバネ部材２の装着力を調節することができる。また、バネ部材２の両端部２ａを内側に折り曲げてあるので、両端部２ａが外に向いている場合のような危険がなく安全である。
【００１５】
また、脱落移動防止金具１に折り曲げ突起部２ｂを設けることで、バネ部材２の装着力を調節して、必要以上の大きさにしないようにすることができる。また、折り曲げ突起部２ｂが摘み部となり、取り付けやすい。
【００１６】
さらに、脱落移動防止金具１の４つの接点としてのバネ部材２の両端部２ａに形成された端部折り曲げ部２ａ１と折り曲げ突起部２ｂの内側角部を、竹節鉄筋３の形状に沿わせることで、例えば特殊定着金物が移動してきた場合でも、この脱落移動防止金具１が竹節鉄筋３の竹節３ａを乗り越えて移動することが的確に規制され、より確実に脱落移動防止金具１の脱落、移動を防ぐことができる。
【００１７】
次に、図２乃至図５において脱落移動防止金具の他の実施形態に関して説明する。図２に示す実施形態は、脱落移動防止金具１をネジ節鉄筋１０に適用した場合を示したもので、ネジ節鉄筋１０にナット１１、あるいはカプラー類を取り付けた後に、脱落移動防止金具１をナット１１の前後もしくはどちらか一方に取り付ける。この脱落移動防止金具１は、ネジ節鉄筋１０の谷部に係合し、その谷部の両側のネジ節によって軸方向の移動が規制される。
【００１８】
図３に示す実施形態では、脱落移動防止金具１を先にネジ節鉄筋１０ａに取り付けて、ネジ節鉄筋１０ａにナット１１ａをカプラー継ぎ手等１３が装着される位置より奥へ挿入し、それをナット１１ａの位置決めとする。このネジ節鉄筋１０ａに、他方のネジ節鉄筋１０ｂを当てがいカプラー継ぎ手等１３のカプラー類によりネジ節鉄筋１０ａとネジ節鉄筋１０ｂの連結を行ない、他方のネジ節鉄筋１０ｂのナット１１ｂでカプラー継ぎ手等１３の位置決めを行なう。
【００１９】
図４に示す実施形態では、ネジ節鉄筋の端部にプレート定着として特殊な定着金物１２を取り付ける場合も図２の実施の形態と同様に脱落移動防止金具１を用いた処置を講じ、ネジ節鉄筋１０に定着金物等１２のカプラー類を取り付けた後に、脱落移動防止金具１を定着金物等１２の前後もしくはどちらか一方に取り付ける。
【００２０】
図５に示す実施形態では、脱落移動防止金具１を先にネジ節鉄筋１０ａに取り付けて、このネジ節鉄筋１０ａに、他方のネジ節鉄筋１０ｂのスリーブ継ぎ手等１４のカプラー類によりネジ節鉄筋１０ａとネジ節鉄筋１０ｂの連結を行ない、他方のネジ節鉄筋１０ｂに脱落移動防止金具１を取り付けスリーブ継ぎ手等１４の位置決めが行なわれている。
【００２１】
このようにネジ節鉄筋に螺合するナット、カプラー類を完全に固定し、一体化するのではなく、脱落、移動を防止、位置決め等の処置を講じる際に前記脱落移動防止金具１を取り付けることで、用途に応じたより簡便な施工が可能となり、合理的であり、経済性が向上する効果が得られる。
【００２２】
【発明の効果】
本発明の脱落移動防止金具によれば、線状のバネ部材の両端部を内側に折り曲げて端部折り曲げ部を形成するとともに、バネ部材の中心部に外方へ突出する折り曲げ突起部を形成したので、その折り曲げ突起部を摘み部として両端部に形成した端部折り曲げ部の間から異形鉄筋にワンタッチで簡単且つ容易に装着できる。しかも装着状態では、バネ部材の両端部に形成した端部折り曲げ部の先端部と、中心部に形成した折り曲げ突起部の内側角部とを異形鉄筋の谷部に接触するように構成したので、その谷部の両側に位置する竹節又はネジ節によって軸方向の移動が規制されることから強固な固定状態が得られる。また、前記端部折り曲げ部と折り曲げ突起部との中間部を外側へ膨出させて、装着状態において異形鉄筋の外周面に係合しないように構成したので、バネ部材のバネ力が端部折り曲げ部の先端部あるいは折り曲げ突起部の内側角部と異形鉄筋との接触部に対して的確に作用し、より良好な固定状態が得られる。さらに、バネ部材の中心部に形成した折り曲げ突起部によって、バネ部材の装着力を調節することも可能である。
【図面の簡単な説明】
【図１】脱落移動防止金具を示す図である。
【図２】脱落移動防止金具の実施形態を示す図である。
【図３】脱落移動防止金具の実施形態を示す図である。
【図４】脱落移動防止金具の実施形態を示す図である。
【図５】脱落移動防止金具の実施形態を示す図である。
【符号の説明】
１…脱落移動防止金具、２…バネ部材、２ａ…両端部、２ａ１…端部折り曲げ部、２ｂ…折り曲げ突起部、２ｂ１…立上り部、３…竹節鉄筋、３ａ…竹節、３ｂ，３ｃ…筋突起、１０…ネジ節鉄筋
【図１】
0003945671.tif 000002
【図２】
0003945671.tif 000003
【図３】
0003945671.tif 000004
【図４】
0003945671.tif 000005
【図５】
0003945671.tif 000006